(57)【要約】【課題】同軸コネクタのうち特に同軸ケーブルに接続される同軸ケーブル接続体の生産性を向上させ、ひいては製造コストの低廉化を図ることが可能な同軸ケーブル接続体の製造方法を得る。【解決手段】信号ポスト５およびグラウンドコンタクト６を、それぞれ別個のフープ１００，１０１に連結された状態で成形するフープ成形工程と、信号ポスト５およびグラウンドコンタクト６を、それぞれのフープ１００，１０１に連結された状態で絶縁ブロック５１を介在させて組み付ける組み付け工程と、を備え、組み付け工程の後に、信号ポスト５をフープ１００から分離する。【選択図】図１３
2008226735.tif 000002
【特許請求の範囲】
【請求項１】
同軸ケーブルの内部導体に接続される信号ポストと、該信号ポストに絶縁体を介して外嵌され当該同軸ケーブルの外部導体に接続されるグラウンドコンタクトと、を有する同軸ケーブル接続体の製造方法であって、
信号ポストおよびグラウンドコンタクトを、それぞれ別個のフープに連結された状態で成形するフープ成形工程と、
信号ポストおよびグラウンドコンタクトを、それぞれのフープに連結された状態で絶縁体を介在させて組み付ける組み付け工程と、
を備え、前記組み付け工程の後に、信号ポストおよびグラウンドコンタクトのうち少なくともいずれか一方をフープから分離することを特徴とする同軸ケーブル接続体の製造方法。
【請求項２】
信号ポストおよびグラウンドコンタクトのうち少なくともいずれか一方に、フープに連結された状態で前記絶縁体をインサート成形によって固着させる絶縁体成形工程を備えることを特徴とする請求項１に記載の同軸ケーブル接続体の製造方法。
【請求項３】
前記フープ成形工程では、複数の信号ポストが所定のピッチでフープに形成される一方、複数のグラウンドコンタクトが所定のピッチで別のフープに形成され、
信号ポストおよびグラウンドコンタクトのうち一方のピッチが他方のピッチの整数倍（ただし１以上の整数）となっていることを特徴とする請求項１または２に記載の同軸ケーブル接続体の製造方法。
【請求項４】
前記フープ成形工程では、信号ポストの先端部が、多角形断面の隅部が面取りされた形状に成形されることを特徴とする請求項１〜３のうちいずれか一つに記載の同軸ケーブル接続体の製造方法。
【請求項５】
前記フープ成形工程では、信号ポストの先端部が、略楕円状断面に成形されることを特徴とする請求項１〜３のうちいずれか一つに記載の同軸ケーブル接続体の製造方法。
【請求項６】
前記フープ成形工程では、信号ポストの前記内部導体との接続部に、断面略Ｖ字状のノッチが形成されることを特徴とする請求項１〜５のうちいずれか一つに記載の同軸ケーブル接続体の製造方法。
【請求項７】
フープに連結された状態でプレス成形され、同軸ケーブルの内部導体に接続される信号ポストと、別のフープに連結された状態でプレス成形され、同軸ケーブルの外部導体に接続されるグラウンドコンタクトと、を備える同軸ケーブル接続体であって、
信号ポストおよびグラウンドコンタクトが、それぞれ別個のフープに連結された状態で成形され、さらにそれぞれのフープに連結された状態で絶縁体を介在させて相互に組み付けられ、組み付け後にフープから分離されることを特徴とする同軸ケーブル接続体。
【請求項８】
フープに連結された状態でプレス成形され、同軸ケーブルの内部導体に接続される信号ポストと、別のフープに連結された状態でプレス成形され、同軸ケーブルの外部導体に接続されるグラウンドコンタクトと、を備える同軸ケーブル接続体が、フープに複数連結された同軸ケーブル接続体アセンブリであって、
複数の信号ポストおよびグラウンドコンタクトが、それぞれ別個のフープに所定のピッチで連結された状態で成形され、さらにそれぞれのフープに連結された状態で絶縁体を介在させて相互に組み付けられ、
前記組み付け後に信号ポストおよびグラウンドコンタクトのうちいずれか一方のみがフープから分離されることで、複数の同軸ケーブル接続体が他方のフープに連結された状態が得られることを特徴とする同軸ケーブル接続体アセンブリ。
【発明の詳細な説明】
【技術分野】
【０００１】
本発明は、同軸ケーブル接続体およびその製造方法に関する。
【背景技術】
【０００２】
従来の同軸コネクタとしては、例えば、特許文献１に示すように、同軸ケーブル同士を接続するものが知られている。この同軸コネクタでは、一方の同軸ケーブルの接続体である雄部体と、他方の同軸ケーブルの接続体である雌部体とを嵌合して結合することにより、それぞれの雄部体および雌部体に設けた導通部材、すなわちホット端子やアース端子を介して、互いに接続しようとする同軸ケーブルの内部導体同士と外部導体同士を導通させるようになっている。
【特許文献１】特開２００５−１０８５１０号公報
【発明の開示】
【発明が解決しようとする課題】
【０００３】
しかしながら、上記従来の同軸コネクタでは、それぞれの接続体に設けられた導通部材、この場合、ホット端子やアース端子は、それぞれを組み付けるにあたって、いずれの接続体にあっても筒状に形成されたアース端子の内方に絶縁体を介してホット端子を組み付けた構造となっている。
【０００４】
このため、各接続体の組立時には、従来では一つの独立したアース端子の内方に一つの独立したホット端子を嵌合して、一つずつ組み付けていくことになり、作業工数の増加と相俟って作業時間が増大し、必然的に製品単価の上昇が来されてしまう。
【０００５】
特に、複数の同軸ケーブルを設けた多極化した同軸コネクタではその傾向が顕著となる。
【０００６】
そこで、本発明は、同軸コネクタのうち特に同軸ケーブルに接続される同軸ケーブル接続体の生産性を向上させ、ひいては製造コストの低廉化を図ることが可能な同軸ケーブル接続体およびその製造方法を得ることを目的とする。
【課題を解決するための手段】
【０００７】
請求項１の発明にあっては、同軸ケーブルの内部導体に接続される信号ポストと、該信号ポストに絶縁体を介して外嵌され当該同軸ケーブルの外部導体に接続されるグラウンドコンタクトと、を有する同軸ケーブル接続体の製造方法であって、信号ポストおよびグラウンドコンタクトを、それぞれ別個のフープに連結された状態で成形するフープ成形工程と、信号ポストおよびグラウンドコンタクトを、それぞれのフープに連結された状態で絶縁体を介在させて組み付ける組み付け工程と、を備え、上記組み付け工程の後に、信号ポストおよびグラウンドコンタクトのうち少なくともいずれか一方をフープから分離することを特徴とする。
【０００８】
請求項２の発明にあっては、信号ポストおよびグラウンドコンタクトのうち少なくともいずれか一方に、フープに連結された状態で上記絶縁体をインサート成形によって固着させる絶縁体成形工程を備えることを特徴とする。
【０００９】
請求項３の発明にあっては、上記フープ成形工程では、複数の信号ポストが所定のピッチでフープに形成される一方、複数のグラウンドコンタクトが所定のピッチで別のフープに形成され、信号ポストおよびグラウンドコンタクトのうち一方のピッチが他方のピッチの整数倍（ただし１以上の整数）となっていることを特徴とする。
【００１０】
請求項４の発明にあっては、上記フープ成形工程では、信号ポストの先端部が、多角形断面の隅部が面取りされた形状に成形されることを特徴とする。
【００１１】
請求項５の発明にあっては、上記フープ成形工程では、信号ポストの先端部が、略楕円状断面に成形されることを特徴とする。
【００１２】
請求項６の発明にあっては、上記フープ成形工程では、信号ポストの上記内部導体との接続部に、断面略Ｖ字状のノッチが形成されることを特徴とする。
【００１３】
請求項７の発明にあっては、フープに連結された状態でプレス成形され、同軸ケーブルの内部導体に接続される信号ポストと、別のフープに連結された状態でプレス成形され、同軸ケーブルの外部導体に接続されるグラウンドコンタクトと、を備える同軸ケーブル接続体であって、信号ポストおよびグラウンドコンタクトが、それぞれ別個のフープに連結された状態で成形され、さらにそれぞれのフープに連結された状態で絶縁体を介在させて相互に組み付けられ、組み付け後にフープから分離されることを特徴とする。
【００１４】
請求項８の発明にあっては、フープに連結された状態でプレス成形され、同軸ケーブルの内部導体に接続される信号ポストと、別のフープに連結された状態でプレス成形され、同軸ケーブルの外部導体に接続されるグラウンドコンタクトと、を備える同軸ケーブル接続体が、フープに複数連結された同軸ケーブル接続体アセンブリであって、複数の信号ポストおよびグラウンドコンタクトが、それぞれ別個のフープに所定のピッチで連結された状態で成形され、さらにそれぞれのフープに連結された状態で絶縁体を介在させて相互に組み付けられ、上記組み付け後に信号ポストおよびグラウンドコンタクトのうちいずれか一方のみがフープから分離されることで、複数の同軸ケーブル接続体が他方のフープに連結された状態が得られることを特徴とする。
【発明の効果】
【００１５】
請求項１，７，または８の発明によれば、信号ポストおよびグラウンドコンタクトを、それぞれがフープに連結された状態で成形して組み付けることにより、これらをそれぞれ別個に成形して一個ずつ個別に組み付ける場合に比べて、フープに連結されている分、取り扱いが容易になる上、相互に組み付ける際の位置決めをより容易に行うことができるため、同軸ケーブル接続体の生産性を向上することができる。
【００１６】
請求項２の発明によれば、フープに連結された状態で絶縁体をインサート成形することにより、複数の信号ポストおよびグラウンドコンタクトの組に対して一度に絶縁体を設けることができるため、同軸ケーブル接続体の生産性を向上することができる。
【００１７】
請求項３の発明によれば、信号ポストおよびグラウンドコンタクトのうち一方のピッチが他方のピッチの整数倍（ただし１以上の整数）となっているため、同軸ケーブル接続体の組み立ての際に、信号ポストとグラウンドコンタクトとの組み付けを、それぞれのフープ同士の相対位置をずらして、倍数となる回数行う（つまり、グラウンドコンタクトのピッチが信号ポストのピッチの２倍であったときは、組み付けを２回繰り返す）ことで、双方を使い切ることができ、同軸ケーブル接続体をより容易に得ることができる。
【００１８】
請求項４の発明によれば、フープ成形工程におけるプレス処理によって、先端部の外周面で接触面積を大きく確保しやすい形状（多角形断面の隅部が面取りされた断面）を有する信号ポストを、より容易にかつより迅速に得ることができる。また、フープ材をプレス処理することで当該先端部形状が得られるため、ピンを一本ずつ研削あるいは研磨して先端部を形成してアセンブリする場合に比べると、同時多量処理が可能となる分、生産性をさらに向上することができる。
【００１９】
請求項５の発明によれば、フープ成形工程におけるプレス処理によって、先端部の外周面で接触面積を大きく確保しやすい形状（略楕円状断面）を有する信号ポストを、より容易にかつより迅速に得ることができる。また、フープ材をプレス処理することで当該先端部形状が得られるため、ピンを一本ずつ研削あるいは研磨して先端部を形成してアセンブリする場合に比べると、同時多量処理が可能となる分、生産性をさらに向上することができる。
【００２０】
請求項６の発明によれば、略Ｖ字状のノッチによって、信号ポストと同軸ケーブルの内部導体との接続処理時には当該内部導体（心線）を信号ポストの所定の取付位置により精度良く位置決めし、かつ当該所定の取付位置に仮保持しやすくなり、より一層生産性を向上することができる。また、この部分をはんだ付けする場合に、はんだの接触面積を増大させることができ、導通不良を抑制することができる。
【発明を実施するための最良の形態】
【００２１】
以下、本発明の好適な実施形態について図面を参照しながら詳細に説明する。
【００２２】
本実施形態では、複数の同軸ケーブルが共通部分としてのハウジングに接続されたハウジングブロックと、基板に固定されたレセプタクルとを相互に嵌合する、多極化された同軸コネクタについて例示する。また、以下の説明では、便宜上、ハウジングブロックのハウジングに対する同軸ケーブルの挿入方向手前側を前方、挿入方向奥側（先側）を後方とする。
【００２３】
図１は、同軸コネクタの全体斜視図、また、図２は、同軸コネクタ内の一部を取り出して示す斜視図である。
【００２４】
同軸コネクタ１は、複数の同軸ケーブル２が接続される同軸ケーブル接続体としてのハウジングブロック３と、基板（図示せず）に固定される固定端子としての信号ＳＭＤ端子８１およびグラウンドＳＭＤ端子７１を有する第２の接続体としてのレセプタクル４と、を備えており、これらハウジングブロック３とレセプタクル４とを嵌合して結合することで、ハウジングブロック３に設けられた導通部材としての信号ポスト５およびグラウンドコンタクト６と、レセプタクル４に設けられた導通部材としてのグラウンドケース７および信号コンタクト８と、を介して上記同軸ケーブル２の内部導体２１と上記信号ＳＭＤ端子８１、ならびに外部導体２３と上記グラウンドＳＭＤ端子７１とが、相互に導通されるようになっている。
【００２５】
同軸ケーブル２は、一般に知られるように、不平衡な電気信号を伝送するための特性インピーダンスが規定された電線であって、本実施形態では、図２に示すように、導体からなる線材としての内部導体２１と、当該内部導体２１の外周を被覆する絶縁体２２と、当該絶縁体２２の外周を被覆する外部導体２３と、さらに最外層の保護被膜としてのシース２４とを備え、略円形断面を有する可撓性のケーブルとして構成されている。
【００２６】
図３は、ハウジングブロックに含まれるハウジングの斜視図、図４は、ハウジングブロックに含まれる組立ブロックの斜視図、また、図５は、ハウジングに対する組立ブロックの差し込み状態を裏面側から見た斜視図である。
【００２７】
図３に示すように、ハウジングブロック３は、略矩形の薄板状に形成されており、複数の断面矩形状の差込孔３１ａが一定の極間ピッチで長手方向に沿って横並びに整列形成されたハウジング３１と、このハウジング３１の長手方向（図中左上−右下方向）両側に設けられてレセプタクル４に係止されるロックアーム３２と、を備えている。
【００２８】
ハウジング３１の各差込孔３１ａには、図４に示すように信号ポスト５とグラウンドコンタクト６とがサブアセンブリされた組立ブロック９を、図５に示すように同軸ケーブル２が接続された状態で嵌着される。
【００２９】
このとき、それぞれの詳細な構造については後述するが、図２に示すように、同軸ケーブル２の内部導体２１は信号ポスト５に接続されるとともに、外部導体２３はグラウンドコンタクト６に接続される。ここで、信号ＳＭＤ端子８１は信号コンタクト８と一体に形成されるとともに、グラウンドＳＭＤ端子７１はグラウンドケース７と一体に形成されている。
【００３０】
図６は、レセプタクルをその中間部で切断した断面斜視図である。図６に示すように、レセプタクル４は、外郭を成す金属製のシェル４１と、このシェル４１内に嵌挿される合成樹脂製の絶縁ボディ４２と、を備え、さらに、この絶縁ボディ４２に形成された複数の差込形状４２ａに嵌挿（圧入）されたグラウンドケース７および信号コンタクト８を備えている。
【００３１】
シェル４１の前端部は、ハウジング３１の後部に段部をもって形成された図３に示す嵌合部３１Ｍの外側に着脱可能に嵌合されることにより、ハウジングブロック３とレセプタクル４とが結合される。
【００３２】
図７は、ハウジングブロックの分解斜視図、図８は、ハウジングにロックアームを取り付ける様子を外側方から見た要部斜視図、また、図９は、ハウジングにロックアームを取り付ける様子を内側方から見た要部斜視図である。
【００３３】
図７に示すように、ハウジングブロック３のハウジング３１は、合成樹脂によって全体的に略矩形の薄板状に形成され、その内部に、短手方向（図中左下−右上方向）に貫通する差込孔３１ａが長手方向（図中左上−右下方向）に複数形成されている。また、ハウジング３１の長手方向両端部には、同軸ケーブル２の挿入方向手前側に向けて突出するロックアーム３２の取付突起３１ｂが形成されている。なお、取付突起３１ｂの根元には段差部３１ｃが形成され、その分だけ当該取付突起３１ｂはハウジング３１の本体側と比べて厚み方向に薄くなっている。
【００３４】
そして、ハウジング３１の長手方向両端部にはロックアーム３２のガイド３１ｄが形成されるとともに、取付突起３１ｂの外側面には係止凹部３１ｅが形成され、かつ、その取付突起３１ｂの内側面に沿った本体側に差込穴３１ｆが形成されている。
【００３５】
ロックアーム３２は、ハウジング３１の長手方向両端縁部の形状に沿って略クランク状に折曲形成されており、その基端部（前端部）には取付突起３１ｂの上側に跨がる断面逆Ｕ字状の嵌着部３２ａが形成されるとともに、先端部（後端部）にはレセプタクル４に係止される係合部３２ｂが形成され、さらに、嵌着部３２ａの外側面には係止凹部３１ｅに係合する切起し爪３２ｃが形成されるとともに、嵌着部３２ａの内側面には差込穴３１ｆに圧入される舌片３２ｄが突設されている。
【００３６】
そして、図８，図９に示すように、ロックアーム３２は、ハウジング３１の長手方向両端縁部にあてがわれて後方に押し込まれることにより、嵌着部３２ａが取付突起３１ｂに被さり、かつ先端部がガイド３１ｄにガイドされつつ後方に移動して、舌片３２ｄが差込穴３１ｆに圧入されるとともに、切起し爪３２ｃが係止凹部３１ｅに係止される。
【００３７】
図１０は、レセプタクルに設けられるシェルの斜視図、図１１は、レセプタクルに設けられる絶縁ボディの斜視図、図１２は、シェルと絶縁ボディとを組み付ける様子を示す斜視図である。
【００３８】
図１０に示すように、シェル４１は、帯状の金属板が扁平な断面矩形状に折曲されて中空状に形成されたものであって、その上面の後縁部には複数の切欠部４１ａが形成されるとともに、それら切欠部４１ａ間には略矩形の係合穴４１ｂが形成されている。
【００３９】
また、シェル４１の長手方向両端では、ロックアーム３２の先端係合部３２ｂ（図７参照）が係止される係合片４１ｃが、シェル４１の上面と下面との間で架設されている。
【００４０】
図１１に示すように、絶縁ボディ４２は、内部に断面矩形状の差込形状４２ａが複数形成された樹脂ブロックとして形成されている。各差込形状４２ａは外側孔４２ａｏｕｔと内側孔４２ａｉｎとの二重構造となっており、外側孔４２ａｏｕｔは断面略Ｕ字状に形成されるとともに、内側孔４２ａｉｎは断面矩形状に形成されている。また、その前部（図中左上側の部分）には外側孔４２ａｏｕｔと内側孔４２ａｉｎとの間の隔壁に連なる筒部４２ｂが前方に向けて突設されている。
【００４１】
また、絶縁ボディ４２の後端部上面には、シェル４１に嵌挿した際に切欠部４１ａに嵌合する略矩形状の位置決め突起４２ｃが突設されるとともに、シェル４１の係合穴４１ｂに係合する抜止め用の爪部４２ｄが突設されている。
【００４２】
そして、図１２に示すように、レセプタクル４は、絶縁ボディ４２の各差込形状４２ａにグラウンドケース７と信号コンタクト８とが嵌挿された状態で、当該絶縁ボディ４２を全体的にシェル４１に嵌合することによって構成される。
【００４３】
このレセプタクル４を、図１に示すようにハウジングブロック３の後端部に嵌着することにより、図２に示すように信号ポスト５と信号コンタクト８とが接触片８３を介して導通されるとともに、グラウンドコンタクト６とグラウンドケース７とが接触片６３，７２を介して導通される。かくして、同軸ケーブル２の内部導体２１と信号ＳＭＤ端子８１とが相互に導通されるとともに、外部導体２３とグラウンドＳＭＤ端子７１とが相互に導通される。
【００４４】
また、図１に示すように、同軸コネクタ１を成すハウジングブロック３とレセプタクル４とを嵌着した際には、ロックアーム３２の先端係合部３２ｂがシェル４１の係合片４１ｃに係止されることで、ハウジングブロック３とレセプタクル４とが抜け止めがなされる。
【００４５】
ここで、多極同軸ケーブル接続体としてのハウジングブロック３の製造方法、特に、共通部分としてのハウジングブロック３に取り付けられる各極部分（同軸ケーブルを含む導通部材のサブアセンブリ）の製造方法について説明する。
【００４６】
図１３は、ハウジングブロック内に含まれる導通部材および同軸ケーブルのサブアセンブリの製造工程を（ａ）〜（ｅ）に順を追って示す説明図、図１４は、二つの導通部材および同軸ケーブルの組み付け手順を（ａ）〜（ｃ）に順を追って示す斜視図、また、図１９（ａ）は、図１３のＡ−Ａ断面図である。
【００４７】
本実施形態では、上述したように、ハウジングブロック３には、導通部材として、同軸ケーブル２の内部導体２１に接続される信号ポスト５と、該信号ポスト５に絶縁体としての合成樹脂で形成される絶縁ブロック５１を介して外嵌され、同軸ケーブル２の外部導体２３に接続されるグラウンドコンタクト６と、が含まれる（図２参照）。
【００４８】
そして、これら導通部材（信号ポスト５およびグラウンドコンタクト６）は、いずれも帯板状の金属部材を巻き取ったフープ１００，１０１（図１３参照）を巻き戻しつつ、当該フープ１００，１０１の巻き戻し部分を順次加工することで形成される。
【００４９】
まずは、図１３（ａ）に示すように、フープ１００をプレス成形することにより、フープ１００の幅方向の一側部に、複数の信号ポスト５が、その長手方向一端部が連結された状態で成形される。ここでは、信号ポスト５は所定のピッチでフープ１００の幅方向に沿って（フープ１００の延伸方向と略直角に）突出する姿勢で成形される（第１のフープ成形工程）。
【００５０】
次に、図１３（ｂ）に示すように、複数の信号ポスト５がフープ１００に連結された状態のまま、インサート成形によって信号ポスト５の所定部位に絶縁体（例えば絶縁性樹脂等）からなる絶縁ブロック（誘電体ブロック）５１が固着される（絶縁体成形工程）。
【００５１】
一方、図１３（ｃ）に示すように、別のフープ１０１をプレス成形することにより、フープ１０１の幅方向一側部に、複数のグラウンドコンタクト６が、その長手方向一端部が連結された状態で形成される（第２のフープ成形工程）。
【００５２】
次に、図１３（ｄ）に示すように、信号ポスト５およびグラウンドコンタクト６が、それぞれのフープ１００，１０１に連結された状態で相互に組み付けられ、組立ブロック９が形成される。このとき、図１４（ａ），（ｂ）にも示すように、信号ポスト５の周囲には絶縁ブロック５１が固着されており、全体的に略コ字状断面を有するグラウンドコンタクト６内に絶縁ブロック５１が介在した状態で信号ポスト５が内嵌されることになる（組み付け工程）。
【００５３】
この組み付け工程の後、信号ポスト５がフープ１００から分離される。なお、本実施形態では、この段階ではグラウンドコンタクト６はフープ１０１から分離されない。したがって、組立ブロック９は、フープ１０１に連結されたままの状態となる（第１のフープ分離工程）。
【００５４】
次に、図１３（ｅ）に示すように、フープ１０１に連結された状態で、組立ブロック９に同軸ケーブル２が接続される。具体的には、同軸ケーブル２の内部導体２１が信号ポスト５に接続されるとともに、外部導体２３がグラウンドコンタクト６に接続される（同軸ケーブル接続工程）。
【００５５】
次に、図示省略したが、同軸ケーブル２と組立ブロック９とのサブアセンブリが、ハウジングブロック３に挿入される（図５参照）。サブアセンブリの取り扱いを容易にするには、この工程を行う直前に、グラウンドコンタクト６、すなわち同軸ケーブル２と組立ブロック９のサブアセンブリをフープ１０１から分離するのが好適である（第２のフープ分離工程）。
【００５６】
ところで、信号ポスト５を成形する上記第１のフープ成形工程では、図１３（ａ）および図１４（ａ）に示すように、同軸ケーブル２の内部導体２１の接続部となる基端部５ｂに、断面Ｖ字状のノッチ５２が成形されるようになっている。このノッチ５２は、内部導体２１との接続部となるため、表面精度の高い（面粗度が低い）フープ１００のロール面（表面または裏面）に形成するのが好適である。
【００５７】
また、これと同時に、第１のフープ成形工程では、図１９（ａ）に示すように、信号ポスト５の先端部５ｃが、多角形（本実施形態では四角形）の断面の隅部が面取りされた形状に成形されるとともに、尖端５ａは概ね尖るように面取りされる。
【００５８】
さらに、この第１のフープ成形工程では、信号ポスト５の基端部５ｂに、当該信号ポスト５の幅方向に伸びる浅い溝が形成される。この溝の部分が、第１のフープ分離工程における切断部Ｃとなる。
【００５９】
また、上記絶縁体成形工程では、図１４（ａ）に示すように、絶縁ブロック５１の図中上面に、長さ方向に所定間隔を空けて隆起部５１ａ，５１ｂが突設される。
【００６０】
一方、グラウンドコンタクト６を成形する上記第２のフープ成形工程では、図１４（ａ）に示すように、グラウンドコンタクト６は、底面６１と両側面６２，６２とを有して全体的に断面略Ｕ字状に折曲される。そして、その先端部両側にはグラウンドケース７との接触片６３，６３が先端延長方向に一対突設されるとともに、その接触片６３，６３の付け根部の両側上方には絶縁ブロック５１の固定爪片６４，６５がそれぞれ上方に一対ずつ突設される。また、グラウンドコンタクト６の基部側は、同軸ケーブル２の外部導体２３を固定する加締め部６６となっており、その加締め部６６の両側に一対の固定爪片６７が設けられる。なお、図１３（ｃ）に示すようにフープ１０１への根元部に切断部Ｃが設定される。
【００６１】
ところで、図１４では、組立ブロック９を、便宜上、断面Ｕ字状に形成されたグラウンドコンタクト６の開放側を上方に向けて示したが、実際に組立ブロック９と同軸ケーブル２とのサブアセンブリがハウジング３１に組み付けられる際には、上記グラウンドコンタクト６の開放側は同軸ケーブル２の並設方向、つまり、図４，図５に示すように横向きに配置される。したがって、一対の接触片６３，６３は図２に示すように上下方向に配置されることになる。
【００６２】
このとき、一対の接触片６３，６３は、それらの対向面がフープ１０１の表面となるように成形される。また、一対の接触片６３，６３は互いに近接する方向に弾発力が付与されている。
【００６３】
また、グラウンドコンタクト６の片方の側面６２には、先端側が繋がった切り起こし片６８（図４参照）が外方に突出されており、組立ブロック９がハウジング３１の差込孔３１ａに挿入された際に、切り起こし片６８が差込孔３１ａの内面に食い込んで抜止めされる。
【００６４】
そして、信号ポスト５およびグラウンドコンタクト６を組み付ける上記組み付け工程では、図１４（ａ）に示すように、先端側の固定爪片６４がそれぞれ内側に折曲されており、グラウンドコンタクト６の後方（図中右方）から絶縁ブロック５１付きの信号ポスト５が挿入され、図１４（ｂ）に示すように、先端側の隆起部５１ａが固定爪片６４に突き当てられる。
【００６５】
次に、図１４（ｃ）に示すように、内部導体２１および外部導体２３を露出させた同軸ケーブル２の先端部がグラウンドコンタクト６の略Ｕ字状の凹部内に配置され、内部導体２１が信号ポスト５のノッチ５２に嵌め込まれて半田付けされ、内部導体２１と信号ポスト５とが接続される。
【００６６】
その後、固定爪片６５，６５を双方近接する側に折り曲げて加締め、前後の隆起部５１ａ，５１ｂ間の凹設部５１ｃを押さえ込むとともに、グラウンドコンタクト６の基部側の固定爪片６７，６７を双方近接する側に折り曲げて加締めて半田付けして同軸ケーブル２の外部導体２３を押さえ込むことにより、外部導体２３とグラウンドコンタクト６とを接続する。この状態で、同軸ケーブル２と組立ブロック９とのサブアセンブリが形成される。
【００６７】
次に、第２の接続体としてのレセプタクル４の製造方法について説明する。図１５は、レセプタクルの製造工程を（ａ）〜（ｅ）に順を追って示す説明図、図１６は、グラウンドケースの組み付け工程の拡大斜視図、また、図１７は、信号コンタクトの組み付け工程の拡大斜視図である。
【００６８】
本実施形態では、上述したように、レセプタクル４には、導通部材として、絶縁ボディ４２に嵌着されてグラウンドＳＭＤ端子７１を有するグラウンドケース７と、該グラウンドケース７に非接触状態で内嵌され信号ＳＭＤ端子８１を有する信号コンタクト８と、が含まれる（図２参照）。
【００６９】
そして、これら導通部材（グラウンドケース７および信号コンタクト８）は、いずれも帯板状の金属部材を巻き取ったフープ１０２，１０３（図１５参照）を巻き戻しつつ、当該フープ１０２，１０３の巻き戻し部分を順次加工することで形成される。
【００７０】
まず、図１５（ａ）に示すように、グラウンドケース７がフープ１０２の一側部に一部を連結した状態でプレス成形される。
【００７１】
また、図１５（ｂ）に示すように、信号コンタクト８がフープ１０３の一側部に一部を連結した状態でプレス成形される。
【００７２】
次に、図１５（ｃ）に示すように、グラウンドケース７がフープ１０２に連結した状態で絶縁ボディ４２に嵌着された後、図１５（ｄ）に示すように、信号コンタクト８がフープ１０３に連結された状態でグラウンドケース７に内嵌される。なお、図１６では、便宜上、フープ１０２を省略してあるが、この段階ではグラウンドケース７はフープ１０２に連結されている。
【００７３】
そして、グラウンドケース７および信号コンタクト８は、絶縁ボディ４２に組み付けられた後にフープ１０２，１０３から分離され、図１５（ｅ）に示すように、その絶縁ボディ４２をシェル４１が嵌着されてレセプタクル４が得られる。
【００７４】
ところで、グラウンドケース７は、図１５（ａ）に示すように、上下方向に一対の被接触片７２，７２と、これら被接触片７２，７２の基部一側を連結する連結片７３と、を有している。
【００７５】
そして、グラウンドＳＭＤ端子７１は、一方の被接触片７２（図１５では下側）の長手方向端部と一体に形成され、基端部からクランク状に折曲されることで被接触片７２と先端部との間に段差が形成され、幅狭となった先端部が被接触片７２の延長方向に突出されている。また、このグラウンドケース７では、他方の被接触片７２（図１５では上側）の基部側がフープ１０２と連結されており、その部分に切断部Ｃが設定されている。
【００７６】
そして、図２に示すように、被接触片７２，７２の外壁面にグラウンドコンタクト６の接触片６３，６３が所定の圧接力をもって接触される。このとき、外壁面（すなわち接触片６３，６３との接触面）は、表面精度の高い（面粗度が低い）フープ１０２のロール面（表面または裏面）とするのが好適である。
【００７７】
また、図１５（ａ）に示すように、被接触片７２，７２が絶縁ボディ４２に嵌着される基部側部分の両側には、合成樹脂で形成されたその絶縁ボディ４２の差込形状４２ａ（図１１参照）の左右内側に食い込ませるための鋸歯部７４が形成され、その鋸歯部７４によって抜止めが行われる。
【００７８】
また、図１５（ｂ）に示すように、信号コンタクト８は、前後方向に延在する底面８２と、相互に対向する方向に弾発力が付与された一対の接触片８３，８３と、底面８２の先端部の両側を上方に折曲した一対のガイド片８４，８４と、底面８２の基端側部分の幅方向両側を上方に折曲した一対の嵌合片８５，８５とを備えている。
【００７９】
そして、信号ＳＭＤ端子８１は、底面８２の長手方向端部と一体に形成され、基端部からクランク状に折曲されることで底面８２と先端部との間に段差が形成され、幅狭となった先端部が底面８２の延設方向に突出されている。このとき、当該信号ＳＭＤ端子８１の先端側がフープ１０３と連結されており、その信号ＳＭＤ端子８１の先端に切断部Ｃが設定されている。
【００８０】
また、嵌合片８５，８５の先端縁には、絶縁ボディ４２の差込形状４２ａの上方内側に食い込ませるための鋸歯部８６が形成され、その鋸歯部８６によって抜止めが行われる。
【００８１】
そして、図１５（ｃ）のように絶縁ボディ４２にグラウンドケース７が嵌着されるにあたっては、まず、図１６に示すように差込形状４２ａの断面略Ｕ字状の外側孔４２ａｏｕｔにグラウンドケース７が挿入される。このとき、グラウンドケース７が完全に挿入された状態では、図１７に示すように、一対の被接触片７２，７２は、外側孔４２ａｏｕｔから挿入方向奥側に露出し、筒部４２ｂの表裏面にそれぞれ密接して配置される。
【００８２】
そして、グラウンドケース７の嵌着後に、図１７に示すように、信号コンタクト８が差込形状４２ａの内側孔４２ａｉｎに挿入されることにより、一対の接触片８３，８３は、筒部４２ｂの筒内に位置する。すなわち、グラウンドケース７と信号コンタクト８とは筒部４２ｂによって非接触状態（絶縁状態）が確保される。
【００８３】
また、本実施形態では同軸コネクタ１は多極化され、複数の同軸ケーブル２について導通が確保されるようになっている。このとき、本実施形態では、図１３，図１５に示すように、信号ポスト５、グラウンドコンタクト６、グラウンドケース７および信号コンタクト８が対応する各フープ１００〜１０３に形成されるピッチは、いずれも、多極化される同軸ケーブル２の極間ピッチＰ（すなわち、ハウジング３１や絶縁ボディ４２の差込孔３１ａ，４２ａのピッチＰ；図１参照）の整数倍（ただし１以上の整数）となっている。
【００８４】
本実施形態の場合を図１８を参照しながら説明する。図１８は、信号ポストとグラウンドコンタクトとの組み付け工程を示す拡大斜視図である。図１８の場合、信号ポスト５は１つの極間ピッチＰと同一のピッチＰ（すなわち極間ピッチＰの１倍）をもって成形される一方、グラウンドコンタクト６はピッチ２Ｐ（すなわち極間ピッチＰの２倍）をもって形成されている。
【００８５】
この場合、まずは、図示するように、フープ１０１に所定のピッチ（２Ｐ）で成形された複数のグラウンドコンタクト６に、フープ１００に所定のピッチ（Ｐ）で成形された複数の信号ポスト５が組み付けられて、当該組み付けられた信号ポスト５がフープ１００から分離される。このとき、グラウンドコンタクト６のピッチ（２Ｐ）は、信号ポスト５のピッチ（Ｐ）の２倍となっているため、フープ１００には一つおきのピッチ（２Ｐ）で信号ポスト５が残存することになる。よって、この場合には、図示省略したが、フープ１００にピッチ（２Ｐ）で残存する信号ポスト５を、新たな（例えば下流側または並列配置された別の）フープ１０１に同一のピッチ（２Ｐ）で連結されたグラウンドコンタクト６に対して同様に組み付けることができる。
【００８６】
ところで、例えば、同軸ケーブル２と組立ブロック９とを組み付ける工程（図１３，図１４参照）と、同軸ケーブル２と組立ブロック９とのサブアセンブリをハウジング３１に組み付けてハウジングブロック３を得る工程（図５参照）とを、別の場所（設備や工場）で行うような場合には、図１３（ｅ）に示すように、複数の組立ブロック９および同軸ケーブル２がフープ１０１に連結されたサブアセンブリを流通に供するようにすれば、複数の組立ブロック９をより容易に取り扱うことができるようになる。
【００８７】
以上より、本実施形態によれば、信号ポスト５およびグラウンドコンタクト６を、それぞれがフープ１００，１０１に連結された状態で成形して組み付けることにより、これらをそれぞれ別個に成形して一個ずつ個別に組み付ける場合に比べて、フープ１００，１０１に連結されている分、取り扱いが容易になる上、相互に組み付ける際の位置決めをより容易に行うことができるため、ハウジングブロック３の生産性を向上することができる。
【００８８】
なお、上記実施形態では、信号ポスト５を先にフープ１００から分離し、複数の組立ブロック９がフープ１０１によって連結されるようにしたが、これに替えて組立ブロック９がフープ１００によって連結されるようにしてもよい。
【００８９】
また、本実施形態によれば、フープ１００に連結された状態で絶縁ブロック５１をインサート成形することにより、複数の信号ポスト５に対して一度に絶縁体を設けることができるため、ハウジングブロック３の生産性を向上することができる。なお、絶縁体は、フープ１０１に連結されたグラウンドコンタクト６にインサート成形によって固着してもよいし、信号ポスト５およびグラウンドコンタクト６の双方に固着してもよい。
【００９０】
また、本実施形態によれば、信号ポスト５およびグラウンドコンタクト６のうち一方のピッチが他方のピッチの整数倍（ただし１以上の整数）となっているため、ハウジングブロック３の組み立ての際に、信号ポスト５とグラウンドコンタクト６との組み付けを、それぞれのフープ１００，１０１同士の相対位置をずらして、当該倍数となる回数行う（つまり、本実施形態のようにグラウンドコンタクト６のピッチ（２Ｐ）が信号ポスト５のピッチ（Ｐ）の２倍であったときは、組み付けを２回繰り返す）ことで、双方を使い切ることができ、ハウジングブロック３をより容易に得ることができる。なお、信号ポスト５のピッチが、グラウンドコンタクト６のピッチの整数倍となっている場合においても、同様の作用および効果が得られる。
【００９１】
また、本実施形態によれば、フープ成形工程におけるプレス処理によって、先端部５ｃの外周面で接触面積を大きく確保しやすい形状（多角形断面の隅部が面取りされた断面）を有する信号ポスト５を、より容易にかつより迅速に得ることができる。また、フープ１００をプレス処理することで当該先端部形状が得られるため、ピンを一本ずつ研削あるいは研磨して先端部を形成してアセンブリする場合に比べると、同時多量処理が可能となる分、生産性をさらに向上することができる。なお、信号ポスト５の先端部５ｃが、図１９（ｂ）に示す略楕円状断面や図示しない真円状断面に成形された場合においても、同様の作用および効果が得られる。
【００９２】
また、本実施形態によれば、略Ｖ字状のノッチ５２によって、信号ポスト５と同軸ケーブル２の内部導体２１との接続処理時には当該内部導体２１を信号ポスト５の所定の取付位置により精度良く位置決めし、かつ当該所定の取付位置に仮保持しやすくなり、より一層生産性を向上することができる。また、この部分をはんだ付けする場合に、はんだの接触面積を増大させることができ、導通不良を抑制することができる。
【００９３】
以上、本発明の好適な実施形態について説明したが、本発明は上記実施形態には限定されず、種々の変形が可能である。
【００９４】
例えば、導通部材である信号ポスト５、グラウンドコンタクト６、グラウンドケース７および信号コンタクト８は、上記実施形態に限ることなく目的に応じたその他の形状として得ることができ、また、同軸ケーブル接続体であるハウジングブロック３や第２の接続体であるレセプタクル４は、もちろん、それらの形状や構造に限ることは無く、内部の導通部材を保持および保護して相互に着脱できる構造であればよい。
【００９５】
また、上記実施形態では多極化された同軸ケーブル接続体を例にとって説明したが、単極の同軸ケーブル接続体としても本発明を同様に実施することができる。
【００９６】
さらに、同軸ケーブル接続体同士を接続する構造としても、本発明を同様に実施することができる。
【図面の簡単な説明】
【００９７】
【図１】本発明の一実施形態にかかる同軸ケーブル接続体を含む同軸コネクタの全体斜視図である。
【図２】本発明の一実施形態にかかる同軸ケーブル接続体を含む同軸コネクタ内の一部を取り出して示す斜視図である。
【図３】本発明の一実施形態にかかる同軸ケーブル接続体としてのハウジングブロックに含まれるハウジングの斜視図である。
【図４】本発明の一実施形態にかかる同軸ケーブル接続体としてのハウジングブロックに含まれる組立ブロックの斜視図である。
【図５】本発明の一実施形態にかかる同軸ケーブル接続体としてのハウジングブロックに含まれるハウジングに対する組立ブロックの差し込み状態を裏面側から見た斜視図。
【図６】本発明の一実施形態にかかる同軸ケーブル接続体の接続対象としてのレセプタクルを中間部で切断して拡大した断面斜視図である。
【図７】本発明の一実施形態にかかる同軸ケーブル接続体としてのハウジングブロックの分解斜視図である。
【図８】本発明の一実施形態にかかる同軸ケーブル接続体としてのハウジングブロックにロックアームを取り付ける様子を外側方から見た要部斜視図である。
【図９】本発明の一実施形態にかかる同軸ケーブル接続体としてのハウジングブロックにロックアームを取り付ける様子を内側方から見た要部斜視図である。
【図１０】本発明の一実施形態にかかる同軸ケーブル接続体の接続対象としてのレセプタクルに含まれるシェルの斜視図である。
【図１１】本発明の一実施形態にかかる同軸ケーブル接続体の接続対象としてのレセプタクルに含まれる絶縁ボディの斜視図である。
【図１２】本発明の一実施形態にかかる同軸ケーブル接続体の接続対象としてのレセプタクルに含まれるシェルと絶縁ボディとを組み付ける様子を示す斜視図である。
【図１３】本発明の一実施形態にかかる同軸ケーブル接続体としてのハウジングブロックに含まれる導通部材および同軸ケーブルのサブアセンブリの製造工程を（ａ）〜（ｅ）に順を追って示す説明図である。
【図１４】本発明の一実施形態にかかる同軸ケーブル接続体としてのハウジングブロックに含まれる二つの導通部材および同軸ケーブルの組み付け手順を（ａ）〜（ｃ）に順を追って示す斜視図である。
【図１５】本発明の一実施形態にかかる同軸ケーブル接続体の接続対象としてのレセプタクルの製造工程を（ａ）〜（ｅ）に順を追って示す説明図である。
【図１６】本発明の一実施形態にかかる同軸ケーブル接続体の接続対象としてのレセプタクルに含まれるグラウンドケースの組み付け工程の拡大斜視図である。
【図１７】本発明の一実施形態にかかる同軸ケーブル接続体の接続対象としてのレセプタクルに含まれる信号コンタクトの組み付け工程の拡大斜視図である。
【図１８】本発明の一実施形態にかかる同軸ケーブル接続体としてのハウジングブロックに含まれる信号ポストとグラウンドコンタクトとの組み付け工程を示す拡大斜視図である。
【図１９】本発明の一実施形態にかかる同軸ケーブル接続体としてのハウジングブロックに含まれる信号ポストの断面図であって、（ａ）は、図１３のＡ−Ａ断面図、（ｂ）は変形例における図１３のＡ−Ａ断面と同等位置での断面図である。
【符号の説明】
【００９８】
１  同軸コネクタ
２  同軸ケーブル
２１  内部導体
２３  外部導体
３  ハウジングブロック（同軸ケーブル接続体）
５  信号ポスト
５ｄ  先端部
５１  絶縁ブロック（絶縁体）
５２  ノッチ
６  グラウンドコンタクト
９  組立ブロック
１００，１０１  フープ
Ｐ，２Ｐ  ピッチ
【図１】
2008226735.tif 000003
【図２】
2008226735.tif 000004
【図３】
2008226735.tif 000005
【図４】
2008226735.tif 000006
【図５】
2008226735.tif 000007
【図６】
2008226735.tif 000008
【図７】
2008226735.tif 000009
【図８】
2008226735.tif 000010
【図９】
2008226735.tif 000011
【図１０】
2008226735.tif 000012
【図１１】
2008226735.tif 000013
【図１２】
2008226735.tif 000014
【図１３】
2008226735.tif 000015
【図１４】
2008226735.tif 000016
【図１５】
2008226735.tif 000017
【図１６】
2008226735.tif 000018
【図１７】
2008226735.tif 000019
【図１８】
2008226735.tif 000020
【図１９】
2008226735.tif 000021